(57)【要約】充電器の利用予約登録を受信し、利用開始日時と仮の利用終了日時を含む予約情報を管理する予約処理部と、ユーザが利用予約登録に基づいて充電器の利用を開始したら、充電に要する所要時間を算出する充電所要時間算出部とを備え、予約処理部は、所要時間に基づいて新規の利用終了日時を算出し、仮の利用終了日時を新規の利用終了日時に更新する。
2013137071.tif 000002
【特許請求の範囲】
【請求項１】
充電器の利用予約登録を受信し、利用開始日時と仮の利用終了日時を含む予約情報を管理する予約処理部と、
ユーザが前記利用予約登録に基づいて前記充電器の利用を開始したら、充電に要する所要時間を算出する充電所要時間算出部と、を備え、
前記予約処理部は、前記所要時間に基づいて新規の利用終了日時を算出し、前記仮の利用終了日時を前記新規の利用終了日時に更新する、充電器予約システム。
【請求項２】
前記予約処理部は、
前記新規の利用終了日時が、前記充電器の次の予約の利用開始日時よりも後になる場合には、前記仮の利用終了日時を前記次の予約の利用開始日時、または前記次の予約の利用開始日時よりも一定時間早い日時に更新する、請求項１に記載の充電器予約システム。
【請求項３】
前記予約処理部は、前記新規の利用終了日時が、仮の利用終了日時よりも早い日時になる場合には、前記充電器の次の予約を登録しているユーザに、利用開始日時の繰り上げが可能であることを通知する、請求項１または２に記載の充電器予約システム。
【請求項４】
前記充電器の利用予約登録時に、他の予約と利用時間が重複する希望利用開始日時の登録を受信し、
前記予約処理部は、前記他の予約の仮の利用終了日時が更新されたことにより利用時間が重複しなくなった場合には、利用開始日時を前記希望利用開始日時に更新する、請求項３に記載の充電器予約システム。
【請求項５】
前記充電所要時間算出部は、充電する充電池の電池残量、温度、および前記充電器の出力状況のうちの少なくとも１つに基づいて、充電に要する所要時間を算出する、請求項１から４のいずれか一項に記載の充電器予約システム。
【請求項６】
充電器の利用予約登録を受信し、利用開始日時と仮の利用終了日時を含む予約情報を管理する予約処理部と、
ユーザが前記利用予約登録に基づいて前記充電器の利用を開始したら、充電に要する所要時間を算出する充電所要時間算出部と、を備え、
前記予約処理部は、前記所要時間に基づいて新規の利用終了日時を算出し、前記仮の利用終了日時を前記新規の利用終了日時に更新する、充電器予約装置。
【請求項７】
充電器の利用予約登録を受信し、利用開始日時と仮の利用終了日時を含む予約情報を管理し、
ユーザが前記利用予約登録に基づいて前記充電器の利用を開始したら、充電に要する所要時間を算出し、
前記所要時間に基づいて新規の利用終了日時を算出し、前記仮の利用終了日時を前記新規の利用終了日時に更新する、充電器予約方法。
【請求項８】
コンピュータを、
充電器の利用予約登録を受信し、利用開始日時と仮の利用終了日時を含む予約情報を管理する予約処理部と、
ユーザが前記利用予約登録に基づいて前記充電器の利用を開始したら、充電に要する所要時間を算出する充電所要時間算出部と、して機能させ、
前記予約処理部は、前記所要時間に基づいて新規の利用終了日時を算出し、前記仮の利用終了日時を前記新規の利用終了日時に更新する、プログラム。
【発明の詳細な説明】
【技術分野】
【０００１】
本発明は、充電器予約システム、充電器予約装置、充電器予約方法、およびプログラムに関する。
【背景技術】
【０００２】
電気自動車に搭載された充電池の充電には、急速充電器を用いた場合でも数十分から１時間程度の時間がかかる。そのため、充電器が存在する場所に到着したときに既に他のユーザが充電していたり、他にも充電器の利用を待っているユーザが存在したりすると、充電器が利用可能になるまでに非常に長い時間待たされる可能性がある。このような状態を回避するため、予め希望の時間帯での充電器の利用を予約できるサービスの提供が望まれる。【０００３】
例えば特許文献１には、コンセントに固有のコンセントＩＤを付与してコンセントの設置場所、コンセントの種類（形状、電圧、電流等）をサーバで管理し、ウェブサーバにてコンセントの使用日時や必要な電力量などの予約を受け付け、予約内容に従って接続される機器への電力供給を制御することが記載されている。【０００４】
また、特許文献２には、管理サーバが、各充電スタンドの充電器に入れられた充電予約を一元的に管理し、予約のキャンセルにより空き時間が発生した場合に、充電順番待ちのユーザに空き時間が発生したことを電子メールで通知するシステムが記載されている。
【先行技術文献】
【特許文献】
【０００５】
【特許文献１】特開２００８−２６３７１２号公報
【特許文献２】特開２０１０−２６７１１０号公報
【発明の概要】
【発明が解決しようとする課題】
【０００６】
しかし、電気自動車の充電に要する時間は、充電池の電池残量や、温度、充電器の出力など様々な要因で決定されるため、ユーザが予約を行う際、正確な所要時間を見積もって予約時間を設定することは難しい。特に、ユーザが予約した充電時間よりも実際にかかった充電時間が短くなった場合は、ユーザが当初登録した終了時間を過ぎるまで、実際には充電が終了していても、他ユーザが使用できないという事態が起こりうる。特許文献１、２に記載の方法では、このような事態を回避することができず、充電器の効率的な運用を十分に行うことができなかった。【０００７】
そこで、本発明の目的は、充電器の効率的な運用を実現することである。
【課題を解決するための手段】
【０００８】
本発明に係る充電器予約システムは、充電器の利用予約登録を受信し、利用開始日時と仮の利用終了日時を含む予約情報を管理する予約処理部と、ユーザが前記利用予約登録に基づいて前記充電器の利用を開始したら、充電に要する所要時間を算出する充電所要時間算出部と、を備え、前記予約処理部は、前記所要時間に基づいて新規の利用終了日時を算出し、前記仮の利用終了日時を前記新規の利用終了日時に更新するものである。【０００９】
本発明に係る充電器予約装置は、充電器の利用予約登録を受信し、利用開始日時と仮の利用終了日時を含む予約情報を管理する予約処理部と、ユーザが前記利用予約登録に基づいて前記充電器の利用を開始したら、充電に要する所要時間を算出する充電所要時間算出部と、を備え、前記予約処理部は、前記所要時間に基づいて新規の利用終了日時を算出し、前記仮の利用終了日時を前記新規の利用終了日時に更新するものである。【００１０】
本発明に係る充電器予約方法は、充電器の利用予約登録を受信し、利用開始日時と仮の利用終了日時を含む予約情報を管理し、ユーザが前記利用予約登録に基づいて前記充電器の利用を開始したら、充電に要する所要時間を算出し、前記所要時間に基づいて新規の利用終了日時を算出し、前記仮の利用終了日時を前記新規の利用終了日時に更新する。【００１１】
本発明に係るプログラムは、コンピュータを、充電器の利用予約登録を受信し、利用開始日時と仮の利用終了日時を含む予約情報を管理する予約処理部と、ユーザが前記利用予約登録に基づいて前記充電器の利用を開始したら、充電に要する所要時間を算出する充電所要時間算出部と、して機能させ、前記予約処理部は、前記所要時間に基づいて新規の利用終了日時を算出し、前記仮の利用終了日時を前記新規の利用終了日時に更新するものである。
【発明の効果】
【００１２】
本発明によれば、充電器の効率的な運用を実現することができる。
【図面の簡単な説明】
【００１３】
【図１】本発明の実施の形態１による、充電器予約システムの構成を示すブロック図。
【図２】本発明の実施の形態１による、ユーザ情報ＤＢの構成例を示す図。
【図３】本発明の実施の形態１による、充電器情報ＤＢの構成例を示す図。
【図４】本発明の実施の形態１による、予約情報ＤＢの構成例を示す図。
【図５】本発明の実施の形態１による、ユーザが充電器の利用を予約する際の処理のシーケンス図。
【図６】本発明の実施の形態１による、予約登録処理のフローチャート。
【図７】本発明の実施の形態１による、ユーザが予約した充電器を利用する際の処理を示したシーケンス図。
【図８】本発明の実施の形態１による、利用終了時刻を更新する処理のフローチャート。
【図９】本発明の実施の形態２による、ユーザ情報ＤＢの構成例を示す図。
【図１０】本発明の実施の形態２による、ユーザが予約した充電器を利用する際の処理を示したシーケンス図。
【発明を実施するための形態】
【００１４】
実施の形態１．
次に、本発明を実施するための形態について、図面を参照して詳細に説明する。
図１は、本発明の実施の形態１による充電器予約システム１０の構成を示すブロック図である。図に示すように、充電器予約システム１０は、電気自動車６０の充電池に充電を行う充電器２０と、充電器２０とネットワーク３０を介して接続されたサーバ装置４０と、サーバ装置４０とネットワーク３０を介して接続され、ユーザが使用する端末５０を備えている。
【００１５】
充電器２０は入出力部２１、充電部２２、及び制御部２３を備えている。
入出力部２１は、タッチパネルディスプレイや、ＩＣカードリーダ・ライタなどの入出力機能を持ったデバイスであり、ユーザ操作の受け付けや、ユーザが登録された会員か否かを識別するために用いる会員カードを読み取るための情報入力機能、操作結果や認証結果などの情報出力機能を有する。
【００１６】
充電部２２は、充電ケーブル７０を介して接続された電気自動車６０に充電を行う機能を有する。
【００１７】
制御部２３は、端末５０を介したユーザの操作やサーバ装置４０から送信される指示に基づいて、充電器２０の動作を制御する機能を有する。
【００１８】
サーバ装置４０は、認証処理部４１、充電器状態取得部４２、充電所要時間算出部４３、予約処理部４４、及び記憶部４５を備えている。サーバ装置４０は、ＣＰＵ、ＲＯＭやＲＡＭ等のメモリ、各種の情報を格納する外部記憶装置、入力インタフェース、出力インタフェース、通信インタフェース及びこれらを結ぶバスを備える専用又は汎用のコンピュータを適用することができる。なお、サーバ装置４０は、単一のコンピュータにより構成されるものであっても、通信回線を介して互いに接続された複数のコンピュータにより構成されるものであってもよい。
【００１９】
認証処理部４１、充電器状態取得部４２、充電所要時間算出部４３、予約処理部４４は、ＣＰＵがＲＯＭ等に格納された所定のプログラムを実行することにより実現される機能のモジュールに相当する。記憶部４５は、外部記憶装置により実装される。
【００２０】
認証処理部４１は、ユーザが充電器２０を利用可能な会員として登録されているか否かを識別する機能や、充電器２０を利用しようとしているユーザが、充電器２０を予約しているユーザか否かを識別する機能を有する。
【００２１】
充電器状態取得部４２は、充電器２０から、充電器２０の状態を取得する機能を有する。
【００２２】
充電所要時間算出部４３は、電気自動車６０の充電池の電池残量、周囲温度、充電器２０の出力状況等に基づいて、所定の電力量の充電を完了するまでに必要な時間を算出する機能を有する。
【００２３】
予約処理部４４は、ユーザからの端末５０を介した予約の登録要求を受付ける機能を有する。なお、予約登録は端末５０を介さずに他の方法で行うようにしてもよい。例えば、ユーザが充電器２０に設けられた入力手段を介して登録できるようにしてもよい。また、別途設置された予約装置を介して予約登録を行うようにしてもよい。
【００２４】
記憶部４５には、ユーザ情報、充電器情報、および予約情報を蓄積するデータベースが実装されている。データベースには、充電器の利用及び予約を許可されたユーザの情報を保持するユーザ情報ＤＢ４５１、充電器の名称や設置場所などの情報を保持する充電器情報ＤＢ４５２、各充電器の予約状況を管理する予約情報ＤＢ４５３が含まれる。
【００２５】
図２は、ユーザ情報ＤＢ４５１の構成例を示す図である。ユーザ情報ＤＢ４５１は、ユーザを識別するための情報である「ユーザＩＤ」と、ユーザが充電器２０の利用を開始する時や、充電器２０の予約登録を行う時の認証処理に用いる「パスワード」を保持する。
【００２６】
図３は、充電器情報ＤＢ４５２の構成例を示す図である。充電器情報ＤＢは、各々の充電器２０を識別するための情報である「充電器ＩＤ」と、充電器２０が設置されている施設の名称を示す「充電施設名称」、充電器２０が設置されている場所の「住所」を保持する。
【００２７】
図４は、予約情報ＤＢ４５３の構成例を示す図である。予約情報ＤＢ４５３は、各充電器２０を識別するための情報である「充電器ＩＤ」と、充電器２０を予約しているユーザのユーザＩＤである「予約ユーザ」と、予約された利用開始日時を示す「利用開始日時」と、予約された利用終了日時を示す「利用終了日時」を保持する。
【００２８】
端末５０はネットワーク３０を介してサーバ装置４０に接続し、ユーザが予約情報を閲覧、登録するための装置である。端末５０は、例えば携帯電話などの移動端末やパーソナルコンピュータなどの情報処理端末である。
【００２９】
なお、充電器予約システム１０の構成は図１で示したものに限られず、例えば、サーバ装置４０の各機能や記憶部４５の一部が充電器２０または端末５０に実装されていてもよい。
【００３０】
次に、図５〜８を用いて充電器予約システム１０の動作について説明する。図５はユーザが充電器２０の利用を予約する際の処理を示したシーケンス図である。図６はサーバ装置４０における予約登録処理のフローチャートである。図７はユーザが予約した充電器を利用する際の処理を示したシーケンス図である。図８は、充電器の利用開始後、利用終了時刻を更新する処理のフローチャートである。
【００３１】
図５、６を用いてユーザが充電器２０の利用を予約する際の処理について説明する。
まず、ユーザは端末５０のメニュー画面を操作し、サーバ装置４０に対して利用可能な充電器２０の情報一覧を要求する（Ｓ１０１）。要求を受信したサーバ装置４０は、予約処理部４４において充電器情報ＤＢ４５２を検索し、登録されている充電器情報の一覧を取得する（Ｓ１０２）。さらに予約処理部４４は予約情報ＤＢ４５３を検索し、ステップＳ１０２で取得した各充電器の予約状況を取得する（Ｓ１０３）。
【００３２】
サーバ装置４０は、ステップＳ１０２，１０３で取得した情報（充電器情報一覧）を端末５０に送信する（Ｓ１０４）。端末５０は、取得した充電器情報一覧を端末５０の画面に表示する（Ｓ１０５）。なお、ステップＳ１０１において充電器情報一覧を要求する際、ユーザが端末５０を操作して地域名や住所などをサーバ装置４０に提供し、予約処理部４４は当該地域または住所にある充電器の情報のみを検索するようにしてもよい。これにより、ユーザは取得する情報を絞り込むことができる。
【００３３】
また、サーバ装置４０や端末５０に地図データを保持すると共に、充電器情報ＤＢ４５２に各充電器の設置場所の緯度経度などの座標情報を登録しておき、ユーザがＧＵＩ（グラフィカルユーザインタフェース）により地図上の所定の範囲を指定したら、サーバ装置４０がその範囲内にある充電器の情報を提供するようにしてもよい。また、端末５０にＧＰＳ機能を備えることにより、ユーザの現在位置から所定の範囲内にある充電器の情報を提供するようにしてもよい。
【００３４】
次に、ユーザは、端末５０を操作してＳ１０５で取得した充電器情報一覧の中から予約したい充電器を選択し、利用開始日時を入力する（Ｓ１０６）。また、ユーザはユーザＩＤ、パスワードを入力する（Ｓ１０７）。端末５０は、これらの入力された情報をサーバ装置４０に送信する（Ｓ１０８）。
【００３５】
サーバ装置４０は、まず認証処理部４１においてユーザ情報ＤＢ４５１を検索し、端末５０から取得したユーザＩＤ、パスワードと同じ組み合わせのレコードがユーザ情報ＤＢ４５１に登録されているか否かを確認する（図５，６：Ｓ１０９）。ユーザが登録されていない場合は（Ｎｏ）ユーザ認証失敗と判断し、予約失敗の結果を端末５０に通知する（図５，６：Ｓ１１２）。
【００３６】
ステップＳ１０９でユーザが登録されている場合は（Ｙｅｓ）ユーザ認証成功と判断し、予約処理部４４において予約情報ＤＢを検索し、端末５０から取得した充電器ＩＤの予約情報を取得する（Ｓ１１０）。次に、予約処理部４４は、端末５０から取得した利用開始日時から一定時間後（３０分後、１時間後等）を仮の利用終了日時として設定し、利用開始日時から仮の利用終了日時までの時間帯と、ステップＳ１１０で取得した予約情報における予約時間帯が重複するかどうかを確認する（Ｓ１１１）。
【００３７】
予約処理部４４は、予約時間が重複する場合は（Ｓ１１１：Ｎｏ）予約不可と判断して、予約失敗の結果を端末に通知する（Ｓ１１２）。予約時間が重複しない場合は（Ｓ１１１：Ｙｅｓ）予約可能と判断して、端末５０から取得したユーザＩＤ、充電器ＩＤ、利用開始日時、及び前述の仮の利用終了日時の組み合わせからなる予約情報を予約情報ＤＢ４５３に登録する（Ｓ１１１）。そして、端末５０に予約成功の結果を通知する（Ｓ１１２）。端末５０は、サーバ装置４０から予約結果を受信したら画面に予約結果を表示する（Ｓ１１３）。
【００３８】
なお、予約情報ＤＢ４５３に登録する仮の利用終了日時は、上記のように予約処理部４４が算出するようにしてもよいし、ステップＳ１０６においてユーザが入力するようにしてもよい。
【００３９】
次に図７、８を用いて充電器２０を予約したユーザが、その充電器を利用して充電を行う際の処理について説明する。
ユーザは、充電器２０を利用する際には、まず充電器２０の入出力部２１に会員カードを読み取らせろ。充電器２０は、読み取ったユーザＩＤと、予め充電器２０に記録されている充電器ＩＤをサーバ装置４０に送信する（Ｓ２０１）。
【００４０】
サーバ装置４０は、認証処理部４１においてユーザ情報ＤＢ４５１を検索し、充電器２０から通知されたユーザＩＤがユーザ情報ＤＢ４５１に登録されているかどうかを確認する（Ｓ２０２）。登録されていない場合は認証失敗と判断し、充電器２０に対して利用不可の結果を通知し、処理を終了する（Ｓ２０４）。
【００４１】
ユーザＩＤが登録されている場合、認証処理部４１は予約情報ＤＢ４５３を検索し、充電器２０から送信された充電器ＩＤについて、現在時刻から一定時間以内（３０分、１時間等）の予約が存在するかどうかを確認する。予約が存在する場合は、その予約がＳ２０１で通知されたユーザＩＤのユーザによる予約であるかどうかを確認する（Ｓ２０３）。
【００４２】
認証処理部４１は、異なるユーザの予約である場合は利用不可と判断し、利用不可の結果を充電器２０に通知し、処理を終了する（Ｓ２０４）。同一のユーザの予約である場合、または当該時間帯に何れのユーザの予約も登録されていなかった場合は利用可能と判断し、充電器２０に利用可能の結果を通知する（Ｓ２０４）。
【００４３】
充電器２０は、サーバ装置４０から利用可能の結果を受信したら、入出力部２１において認証ＯＫのメッセージと、電気自動車への充電操作を開始するためのボタンを配置したメニュー画面を表示する（Ｓ２０５）。
【００４４】
ユーザが電気自動車６０に充電ケーブル７０を接続し、充電器２０の入出力部２１に表示された充電開始のメニューを選択すると、充電器２０の制御部２３が充電部２２に充電開始を指示し、充電部２０は電気自動車６０への充電を開始する（Ｓ２０６）。
【００４５】
次に、充電部２２は充電中の電気自動車６０から充電池の電池残量、充電池の温度、目標とする充電電力量または充電率を取得し、これらの情報と、充電電圧値、充電電流値を合わせて充電状況情報として取得する（Ｓ２０７）。
【００４６】
なお、充電池の温度を取得できない場合は、充電器２０に温度計を取り付け、その温度計が示す温度を充電状況情報に含めるようにしてもよい。
【００４７】
目標とする充電電力量または充電率については、充電器２０に対して予め設定された値を用いるようにしてもよい。または、ユーザが充電操作を開始するメニュー画面に、目標とする充電電力量または充電率を指定するメニューを表示し、ユーザ操作によって選択された値を用いるようにしてもよい。
【００４８】
充電部２２は、取得した充電状況情報を充電器２０の充電ＩＤとともにサーバ装置４０に送信する（Ｓ２０８）。
【００４９】
サーバ装置４０の充電所要時間算出部４３は、充電器２０から送信された充電状況情報に基づいて、充電所要時間を算出する（Ｓ２０９）。
【００５０】
充電所要時間の算出方法の具体例について説明する。充電所要時間算出部４３は、充電池の電池残量と充電所要時間の関係を示すグラフデータを保持しておき、充電器２０から取得した充電状況情報に含まれる電池残量から目標充電電力量または充電率に至る充電所要時間を算出するようにしてもよい。
【００５１】
また、このグラフデータを電気自動車の車種ごとに用意しておくと共に、各ユーザが保有している電気自動車の車種を特定する情報をユーザ情報ＤＢ４５１に追加しておき、ユーザＩＤから充電中の電気自動車６０の車種を特定し、車種ごとのグラフデータに基づいたより正確な充電所要時間を算出するようにしてもよい。
【００５２】
さらに、過去の充電状況情報と実際にかかった充電所要時間のログ情報を学習データとして利用し、機械学習の手法によりステップＳ２０８で取得した充電状況情報から充電所要時間を算出するようにしてもよい。
【００５３】
次に、予約処理部４４は、ステップＳ２０９で算出された充電所要時間に基づいて、予約情報ＤＢ４５３に登録されている仮の利用終了日時を更新する（Ｓ２１０）。
【００５４】
図８を用いて利用終了日時の更新処理について詳しく説明する。
まず、算出された充電所要時間と現在時刻に基づいて、充電終了日時を算出する（Ｓ２１０−１）。次に、予約情報ＤＢ４５３に登録されている仮の利用終了日時よりステップＳ２１０−１で算出した充電終了日時が早いかどうかを判定する（Ｓ２１０−２）。
【００５５】
算出した充電終了日時の方が早い場合は（Ｙｅｓ）、予約情報ＤＢ４５３に登録されている仮の利用終了日時を削除し、ステップＳ２１０−１で算出した終了日時を当該予約情報の利用終了日時として登録する（Ｓ２１０−３Ａ）。
【００５６】
ステップＳ２１０−１で算出した充電終了日時の方が遅い場合は（Ｎｏ）、予約情報ＤＢ４５３を参照し、Ｓ２１０−１で算出した終了日時より前の時間帯に他の予約が存在するかどうかを確認する（Ｓ２１０−３Ｂ１）。
【００５７】
他の予約が存在しない場合は（Ｎｏ）、ステップＳ２１０−３Ａへ移行する。他の予約が存在する場合は（Ｙｅｓ）、充電中のユーザの予約情報の仮の利用終了日時を削除し、他の予約情報の利用開始日時と同一日時、または他の予約情報の利用開始日時の直前の日時（一定のマージン分早い日時）を利用終了日時として登録する（Ｓ２１０−３Ｂ２）。次に、予約処理部４４は、充電器２０に対して新規に登録した利用終了日時を充電器２０に通知する（Ｓ２１０−３Ｂ３）。
【００５８】
充電器２０は、制御部２３において目標の充電電力量または充電率までの充電が完了したタイミング、または、ステップＳ２１０−３Ｂ３でサーバ装置４０から通知された利用終了日時に到達したタイミングで充電を終了するように充電部２２に指示し、充電部２２は充電を終了する（Ｓ２１１）。
【００５９】
なお、充電器２０の入出力部２１の画面に充電を中断させるボタンを配置したメニューを表示しておき、ユーザが中断ボタンを選択した場合に充電を終了するようにしてもよい。また、充電中に充電器２０または電気自動車６０のどちらかに異常が発生し、充電不可能な状態になった場合にも充電を終了するようにしてもよい。
【００６０】
充電部２２は充電が終了すると、サーバ装置４０に対して充電器ＩＤと共に充電が終了したことを示す通知を送信する（Ｓ２１２）。
【００６１】
サーバ装置４０は、充電終了通知を受信すると、予約処理部４４において予約情報ＤＢ４５３に登録されている予約情報の中から、充電終了通知に対応する予約情報を削除する（Ｓ２１３）。具体的には、予約処理部４４は、予約情報ＤＢ４５３に登録されている予約情報の中から、ステップＳ２１２で通知された充電器ＩＤを含み、かつステップＳ２１２の通知の送信時刻または受信時刻が、利用開始日時と利用終了日時の間の時間帯に含まれる予約情報を検索し、該当するレコードを削除する。なお、利用開始日時と利用終了日時の間の時間帯の前後に一定のマージンを設け、充電終了通知の送信または受信時刻が当該時間帯に含まれるか判断するようにしてもよい。
【００６２】
なお、本実施形態では、Ｓ２０７からＳ２１０−３ＡまたはＳ２１０−３Ｂ３までの処理を、充電開始後に１回だけ実行しているが、充電中、定期的または充電状況情報が変化したタイミングで一連の処理を繰り返し実行するようにしてもよい。
【００６３】
また、充電所要時間算出部４３の機能を電気自動車６０に実装し、電気自動車６０が充電所要時間を算出し、サーバ装置４０は電気自動車６０から充電所要時間を受信し、利用終了日時を更新するようにしてもよい。
【００６４】
以上のように本実施形態によれば、充電器２０の利用を開始した際の充電状況に基づいて算出された正確な充電終了日時に基づいて、利用終了日時を更新するようにしたので、ユーザが充電器２０の利用を必要以上に長い時間予約した場合に発生する無駄な充電器の占有時間を削減でき、充電器の効率的な運用を実現することができる。
【００６５】
実施の形態２．
実施の形態２では、充電器を予約したユーザが充電を開始し、利用終了時刻が確定した際に、次にその充電器を予約しているユーザに対して予約の利用開始日時を繰り上げることを促す。
【００６６】
図９は、実施の形態２によるユーザ情報ＤＢ４５１の構成例を示した図である。本実施形態では、ユーザのメールアドレスが追加されている点が実施の形態１と異なっている。他の構成については、実施の形態１と同様である。
【００６７】
図１０は、実施の形態２による、ユーザが予約した充電器を利用する際の処理を示したシーケンス図である。実施の形態１の図７と同様の処理については、同一の符号を付している。
【００６８】
本実施形態では、充電器２０を利用中のユーザの新規に登録された利用終了日時が、予約登録時に登録した仮の利用終了日時よりも早い場合に、次の時間帯に同じ充電器２０を予約しているユーザに対し、利用開始日時を早めることができることを通知する。
【００６９】
サーバ装置４０の予約処理部４４は、ステップＳ２１０−３Ａにおいて、充電器２０の利用を開始したユーザの利用終了日時が仮の終了日時よりも早い日時に変更されたことを確認したら、予約情報ＤＢ４５３を検索し、当該利用終了日時から所定の時間以内に同じ充電器２０に対する他ユーザの予約が登録されているかどうかを確認する（Ｓ３０１）。
【００７０】
所定時間内に他ユーザの予約が登録されていた場合は、その予約情報に含まれる予約ユーザＩＤを取得し、取得したユーザＩＤに基づいてユーザ情報ＤＢ４５１を検索し、当該ユーザのメールアドレスを取得する（Ｓ３０２）。
【００７１】
さらに、予約処理部４４は、取得したメールアドレスへ、Ｓ２１０−３Ａで新規に登録された利用終了日時と、予約の利用開始日時を早めることが可能であることを示すメッセージを含めたメールを送信する（Ｓ３０３）。なお、ステップＳ３０１で所定時間内に他のユーザの予約が登録されていないと確認された場合は、ステップＳ３０２、Ｓ３０３の処理は行わない。
【００７２】
以上のように本実施形態によれば、充電器２０の利用を開始したユーザの利用終了日時が、予約登録時に登録した仮の利用終了日時よりも早く終了することが分かった場合に、次に同じ充電器２０を予約しているユーザに、利用開始日時を早くすることが可能であることを通知できる。このため、ユーザが充電器２０の利用を必要以上に長い時間予約した場合に発生する無駄な充電器の占有時間をより効率的に削減でき、充電器の効率的な運用を実現することができる。さらに、次に予約しているユーザは予約を前倒しできることがすぐに分かるため、ユーザの利便性が向上する。
【００７３】
なお、本実施形態では、次の予約ユーザに、利用開始日時を早めることができることをメールで通知し、実際の予約変更処理は、通知を受けたユーザが行う。ただし、実際の予約変更処理の方法はこれに限られない。例えば、予約登録時に複数の希望利用開始日時を登録できるようにしておき、利用開始日時を早めることが可能となったタイミングで、予約処理部４４が利用開始日時の前倒しが可能な範囲で、最も早い希望利用開始日時に自動的に変更し、ユーザには利用開始日時が変更されたことをメールで通知するようにしてもよい。
【産業上の利用可能性】
【００７４】
本発明は、電気自動車向けの充電サービスに関し、充電器の効率的な運用を実現する充電予約システムや、予約機能を備えた充電器、これらを実現するためのサーバ装置やプログラムに適用できる。【００７５】
この出願は、２０１２年３月１４日に出願された日本出願特願２０１２−５７４８７を基礎とする優先権を主張し、その開示の全てをここに取り込む。【００７６】
以上、実施形態を参照して本願発明を説明したが、本願発明は上記実施形態に限定されるものではない。本願発明の構成や詳細には、本願発明のスコープ内で当業者が理解し得る様々な変更をすることができる。【００７７】
上記の実施の形態の一部または全部は、以下の付記のようにも記載されうるが、以下には限られない。
（付記１）充電器の利用予約登録を受信し、利用開始日時と仮の利用終了日時を含む予約情報を管理する予約処理部と、
ユーザが前記利用予約登録に基づいて前記充電器の利用を開始したら、充電に要する所要時間を算出する充電所要時間算出部と、を備え、
前記予約処理部は、前記所要時間に基づいて新規の利用終了日時を算出し、前記仮の利用終了日時を前記新規の利用終了日時に更新する、充電器予約システム。【００７８】
（付記２）前記予約処理部は、
前記新規の利用終了日時が、前記充電器の次の予約の利用開始日時よりも後になる場合には、前記仮の利用終了日時を前記次の予約の利用開始日時、または前記次の予約の利用開始日時よりも一定時間早い日時に更新する、付記１に記載の充電器予約システム。【００７９】
（付記３）前記予約処理部は、前記新規の利用終了日時が、仮の利用終了日時よりも早い日時になる場合には、前記充電器の次の予約を登録しているユーザに、利用開始日時の繰り上げが可能であることを通知する、付記１または２に記載の充電器予約システム。【００８０】
（付記４）前記充電器の利用予約登録時に、他の予約と利用時間が重複する希望利用開始日時の登録を受信し、
前記予約処理部は、前記他の予約の仮の利用終了日時が更新されたことにより利用時間が重複しなくなった場合には、利用開始日時を前記希望利用開始日時に更新する、付記３に記載の充電器予約システム。【００８１】
（付記５）前記充電所要時間算出部は、充電する充電池の電池残量、温度、および前記充電器の出力状況のうちの少なくとも１つに基づいて、充電に要する所要時間を算出する、付記１から４のいずれか一項に記載の充電器予約システム。【００８２】
（付記６）充電器の利用予約登録を受信し、利用開始日時と仮の利用終了日時を含む予約情報を管理する予約処理部と、
ユーザが前記利用予約登録に基づいて前記充電器の利用を開始したら、充電に要する所要時間を算出する充電所要時間算出部と、を備え、
前記予約処理部は、前記所要時間に基づいて新規の利用終了日時を算出し、前記仮の利用終了日時を前記新規の利用終了日時に更新する、を備えた充電器予約装置。【００８３】
（付記７）充電器の利用予約登録を受信し、利用開始日時と仮の利用終了日時を含む予約情報を管理し、
ユーザが前記利用予約登録に基づいて前記充電器の利用を開始したら、充電に要する所要時間を算出し、
前記所要時間に基づいて新規の利用終了日時を算出し、前記仮の利用終了日時を前記新規の利用終了日時に更新する、充電器予約方法。【００８４】
（付記８）コンピュータを、
充電器の利用予約登録を受信し、利用開始日時と仮の利用終了日時を含む予約情報を管理する予約処理部と、
ユーザが前記利用予約登録に基づいて前記充電器の利用を開始したら、充電に要する所要時間を算出する充電所要時間算出部と、して機能させ、
前記予約処理部は、前記所要時間に基づいて新規の利用終了日時を算出し、前記仮の利用終了日時を前記新規の利用終了日時に更新する、プログラム。
【符号の説明】
【００８５】
１０ 充電器予約システム、２０ 充電器、２１ 入出力部、２２ 充電部、２３ 制御部、３０ ネットワーク、４０ サーバ装置、４１ 認証処理部、４２ 充電器状態取得部、４３ 充電所要時間算出部、４４ 予約処理部、４５ 記憶部、５０ 端末、６０ 電気自動車、７０ 充電ケーブル、４５１ ユーザ情報ＤＢ、４５２ 充電器情報ＤＢ、４５３ 予約情報ＤＢ
【図１】
2013137071.tif 000003
【図２】
2013137071.tif 000004
【図３】
2013137071.tif 000005
【図４】
2013137071.tif 000006
【図５】
2013137071.tif 000007
【図６】
2013137071.tif 000008
【図７】
2013137071.tif 000009
【図８】
2013137071.tif 000010
【図９】
2013137071.tif 000011
【図１０】
2013137071.tif 000012
【国際調査報告】
2013137071.tif 000013
2013137071.tif 000014
2013137071.tif 000015
2013137071.tif 000016